(57)【特許請求の範囲】
【請求項１】
擁壁設置箇所に設けた基礎面上に設置する石積み擁壁であって、
擁壁の壁面を構成する有孔構造の壁面部材と、前記壁面部材の下部から前方に延伸する爪先部と、前記壁面部材の下部から後方に延伸する底部材とを少なくとも有し、基礎面上に設置したフレーム部材と、
前記壁面部材の前方から間隙を設けた位置に取付可能に備えた係止部を有する複数の石塊と、からなり、
前記間隙のうち一部を裏込めして前記フレーム部材に石塊を固定し、残る間隙でもって前記石塊とフレーム部材との間に通気性及び通水性を付与してあることを特徴とする、
石積み擁壁。
【請求項２】
前記フレーム部材が溶接金網からなることを特徴とする、請求項１に記載の石積み擁壁。
【請求項３】
前記フレーム部材の背面にシート部材を敷設してあることを特徴とする、請求項１又は２に記載の石積み擁壁。
【請求項４】
前記シート部材は、土砂流出防止材であることを特徴とする、請求項３に記載の石積み擁壁。
【請求項５】
前記フレーム部材に充填した客土の上面を緑化してあることを特徴とする、請求項１乃至４の何れか１項に記載の石積み擁壁。
【請求項６】
擁壁設置箇所に設けた基礎面上に設置する石積み擁壁の構築方法であって、
擁壁の壁面を構成する有孔構造の壁面部材と、前記壁面部材の下部から前方に延伸する爪先部と、前記壁面部材の下部から後方に延伸する底部材とを少なくとも有するフレーム部材を基礎面上に設置し、
前記壁面部材から間隙を設けた位置に取付可能な係止部を設けた石塊を前記壁面部材に取付け、
前記間隙のうち一部を裏込めして前記フレーム部材に石塊を固定し、残る間隙でもって前記石塊とフレーム部材との間に通気性及び通水性を付与してあることを特徴とする、
石積み擁壁の構築方法。
【請求項７】
前記フレーム部材の内部に客土を充填した後に、客土上面を緑化することを特徴とする、請求項６に記載の石積み擁壁の構築方法。
【発明の詳細な説明】
【技術分野】
【０００１】
本発明は河川護岸用又はその他の擁壁として構築する石積み擁壁に用いる擁壁ユニットを用いた石積み擁壁及びその構築方法に関するものである。
【背景技術】
【０００２】
従来の石積み擁壁は、断面Ｌ字型や断面Ｔ字型のコンクリートブロック擁壁の前面に自然石などの石塊を複数段に渡って積み上げ、当該コンクリートブロック擁壁と石塊との間や、石塊間の目地をモルタルなどで裏込めして固定し、コンクリートブロックの背面に砕石などの裏込め材を充填することによって構築している。
【特許文献１】特開平０８−１８４０６５号
【発明の開示】
【発明が解決しようとする課題】
【０００３】
しかし、上記した従来の石積み擁壁には以下のような問題点がある。
（１）コンクリートブロック背面に水が滞留することを防止するため、コンクリートブロックの底盤などに別途水抜き穴などを構築する必要がある。
（２）石積み際付近は、石塊背面のコンクリートブロックが干渉し、十分な緑化ができない。
（３）コンクリートブロックの重量が大きいことに加えて、コンクリートブロック擁壁と石塊との間や石塊間の目地を完全に裏込めするため、更に重量が増加し、施工期間が長くなるほか、経済性が悪い。
【０００４】
本発明は以上の点に鑑みて成されたもので、その目的とするところは、少なくとも次のうち少なくとも一つの課題を実現する石積み擁壁を提供することにある。
（１）石積み擁壁自体に通水性、通気性を付与すること。
（２）石積み擁壁の天端際まで緑化できること。
（３）施工工期を短縮できるほか、低コストで設置できること。
（４）従来の石積み擁壁より軽量化を可能とすること。
【課題を解決するための手段】
【０００５】
上記の課題を解決するためになされた本願の第１発明は、擁壁設置箇所に設けた基礎面上に設置する石積み擁壁であって、擁壁の壁面を構成する有孔構造の壁面部材と、前記壁面部材の下部から前方に延伸する爪先部と、前記壁面部材の下部から後方に延伸する底部材とを少なくとも有し、基礎面上に設置したフレーム部材と、前記壁面部材の前方から間隙を設けた位置に取付可能に備えた係止部を有する複数の石塊と、からなり、前記間隙のうち一部を裏込めして前記フレーム部材に石塊を固定し、残る間隙でもって前記石塊とフレーム部材との間に通気性及び通水性を付与してあることを特徴とする、石積み擁壁を提供することにある。
また、本願の第２発明は、前記フレーム部材が溶接金網からなることを特徴とする、本願の第１発明に記載の石積み擁壁を提供することにある。
また、本願の第３発明は、前記フレーム部材の背面にシート部材を敷設してあることを特徴とする、本願の第１又は第２発明に記載の石積み擁壁を提供することにある。
また、本願の第４発明は、前記シート部材は、土砂流出防止材であることを特徴とする、本願の第３発明に記載の石積み擁壁を提供することにある。
また、本願の第５発明は、前記フレーム部材に充填した客土の上面を緑化してあることを特徴とする、本願の第１乃至第４発明の何れか一つに記載の石積み擁壁を提供することにある。
また、本願の第６発明は、擁壁設置箇所に設けた基礎面上に設置する石積み擁壁の構築方法であって、擁壁の壁面を構成する有孔構造の壁面部材と、前記壁面部材の下部から前方に延伸する爪先部と、前記壁面部材の下部から後方に延伸する底部材とを少なくとも有するフレーム部材を基礎面上に設置し、前記壁面部材から間隙を設けた位置に取付可能な係止部を設けた石塊を前記壁面部材に取付け、前記間隙のうち一部を裏込めして前記フレーム部材に石塊を固定し、残る間隙でもって前記石塊とフレーム部材との間に通気性及び通水性を付与してあることを特徴とする、石積み擁壁の構築方法を提供することにある。
また、本願の第７発明は、前記フレーム部材の内部に客土を充填した後に、客土上面を緑化することを特徴とする、本願の第６発明に記載の石積み擁壁の構築方法を提供することにある。
【発明の効果】
【０００６】
本発明は以下に示す効果のうち少なくとも一つの効果を得ることができる。
（１）モルタルなどの裏込め材をフレーム部材と石塊との間に設けた間隙の全てに裏込めせず、部分的に注入して石塊を固定することにより、当該間隙を利用して石積み擁壁自体に通気性、通水性を付与することができる。
また、前記間隙とフレーム部材の内部に充填した客土とが連続性を有するため、別途水抜き穴などを設ける必要が無い。
また、当該間隙は生物の生息空間に適しているため、石塊に苔が生息したり間隙に種子が根付いたりなどの自然緑化が可能になる。
（２）フレーム部材の内部に客土を充填するだけでよく、裏込め用の砕石などが不要で施工性が向上する。
（３）フレーム部材が従来のコンクリートブロックと比較して軽量であるため、工期及び工費の両面から経済性が高い。
（４）フレーム部材の天端付近に充填した客土に対しても植栽ができ、石積みの際まで緑化できる。
（５）間隙全体に裏込めする必要がないため、従来の石積み擁壁に比べて軽量化でき、人工地盤上などの荷重制限がある場所においても使用できる。
【発明を実施するための最良の形態】
【０００７】
以下図面を参照しながら、本発明の擁壁ユニット及びその擁壁ユニットを用いた石積み擁壁及びその構築方法を説明する。
【実施例１】
【０００８】
（１）擁壁ユニット
図１は、本発明の擁壁ユニット１の一例を示す斜視図である。
本実施例における擁壁ユニット１は  地面に敷設する底部材２１と、底板から上方に延伸する壁面部材２２と、壁面部材２２の下部であって底部材２１から前方に延伸した爪先部２３と、を含むフレーム部材２と、前記フレーム部材２の壁面部材２２の前方に取付可能に構成した石塊３と、からなる。
以下に、各部材について説明する。
【０００９】
（２）フレーム部材２
フレーム部材２は断面がＬ型形状、Ｔ型形状、Ｕ型形状などからなる立体構造物であり、少なくとも石塊を積み上げる壁面部材２２が有孔構造を呈する部材である。
【００１０】
より具体的に説明すると、図１に示すフレーム部材２は、断面が壁面部材２２と底部材２１とでＬ型形状を呈する溶接金網を用いている。
当該溶接金網は、縦横線の一方の線材を連続して凹凸形状に屈曲して形成し、この屈曲した複数の屈曲線材と複数の直線状線材とを交差させ、各交差部を溶接した金網や、凹凸のない金網などが使用できる。
その他にもフレーム部材２の素材には、一般金網、動物防護用特殊金網、エキスパンドメタル、有孔板等が使用可能である。
当該溶接金網は、設置面の凹凸の影響を受けることなく設置することができるほか、軽量化の面からも有益である。
【００１１】
また、図１では、当該壁面部材２２の上方と、底部材２１の後方とを控えフレーム５などによって連結することにより、フレーム部材２が受ける内外圧に抵抗するように構成してある。
【００１２】
また、フレーム部材２の壁面部材２２の下部には、底部材２１から前方に延伸した爪先部２３を設けてある。
前記爪先部２３は、壁面部材２２の前面に積み上げる石塊３のうち、最下部の石塊３の位置決め或いは支持を行うために設けてあるもので、特に素材を限定するものではない。
【００１３】
なお、フレーム部材本体は各部材を脱着可能としたり、折りたたみ可能とすることで、設置現場において組立可能に構成しておよい。
【００１４】
（３）石塊
次に、石塊３について説明する。図２は、前記フレーム部材２の壁面部材２２と石塊３との取付構造を示す部分斜視図である。
石塊３は自然石そのものを用いたり、当該自然石を加工したものなどを使用することができ、素材や、形状を特に限定するものではない。また、石塊３の大きさも定尺である必要はなく、種々の石塊を使用することができる。
また、石塊３は、複数の自然石を一つにまとめてパネル化したものでもよい。
【００１５】
石塊３の上面には、前記フレーム部材２の壁面部材２２に取付可能に構成した係止金具３１が取り付けてある。
係止金具３１の一端は、前記石塊３の上面に周知の取付構造で取付ける。例えば、前記石塊３の上面に予め取付孔を穿設しておき、当該取付孔に係止金具３１の一端を貫入し接着材を充填して固定したり、前記取付孔にアンカピンを打ち込み、当該アンカピンをナット締めして係止金具３１を固定するなどが挙げられる。
【００１６】
一方、前記係止金具３１の他端は、フックなどの鉤形形状を呈してあり、前記フレーム部材の壁面部材２２に係止可能に構成してある。
また係止金具３１は図１に示すようなフック形状に限定されるものではなく、周知の係止構造を使用することができる。
【００１７】
［石積み擁壁の構築方法］
次に、本発明の擁壁ユニット１を用いた、石積み擁壁の構築方法を説明する。
【００１８】
（１）フレーム部材２の組立設置
まず、フレーム部材２を設置現場に搬入し、組立てて設置する。
【００１９】
（２）シート部材９の敷設
シート部材９は、フレーム部材２の内部に充填する客土４が流出するのを防止する土砂流出シートであり、図１においては図示を省略している。また前記シート部材９は、緑化後の生育環境を確保するために透水性を有していることが望ましい。
前記シート部材９は、フレーム部材２の設置後に敷設しても良いし、予めフレーム部材２に敷設しておいてもよい。
【００２０】
（３）客土４の充填
前記フレーム部材２の内部、具体的には壁面部材２２の背面に客土４を充填する。客土４には、植栽用土や人工軽量土などの、植栽に適した土を用いる。
【００２１】
（４）石塊３の設置と固定
図２に示すように、前記フレーム部材２の壁面部材２２の前方に石塊３を段階的に配置する。
石塊３は、係止金具３１を前記フレーム部材２の壁面部材２２に係止して位置決めし、壁面部材２２の下方から水平方向に配置しつつ、上方に積み上げるように積み上げるように取り付けていく。
なお、フレーム部材２の最下部の石塊３は、フレームに設けた爪先部２３によって支持される。
【００２２】
石塊３の設置においては、係止金具３１の長さを予め調整しておくか、あるいは係止金具３１に従来知られる長さ調整機構を設けておくことによって、石塊３の背面と前記フレーム部材２の壁面部材２２の前面との間に間隙５を設けるように係止金具３１の長さを調整して配置する。
その後、当該間隙５の一部をモルタルなどの裏込め材６を注入して点付けし、石塊３と壁面部材２２と固定する。
【００２３】
本実施例においては、裏込め材６の注入箇所を上下段の石塊３の間の隙間と石塊と壁面材２２との間の隙間が交わる部分とし、上下段の石塊３と係止金具３１と壁面部材２２とが裏込め材によって一体化するように固定することによって当該係止金具３１の他端に設けたフックが容易に外れることを防止すると共に、石塊３同士を確実に位置決め可能としたものである。
なお、当該注入箇所は本実施例によって限定されるものではなく、地震の振動などに代表される外力を受けることによって石塊３が壁面部材２２からずれたり落下したりすることの無いように固定されていればよい。
【００２４】
（４）石塊３の積み上げ
以上、上記（１）〜（３）の工程を繰り返し、壁面部材２２の前面に石塊３を複数段積み重ねて石積み擁壁を構築する。
【００２５】
（５）その他の作業
石塊３の積み上げ完了後、或いは石塊３の積み上げ作業と並行して、フレーム部材２の内部に充填した客土４に緑化作業を施してもよい。緑化作業に用いる植物は、草本類、木本類、竹類などの公知の植物である。
【００２６】
［石積み擁壁の機能］
次に、構築後の石積み擁壁の機能について説明する。
【００２７】
壁面部材２２と、石塊３との間に設けた間隙５は、石塊３前方の外気と連通しているため、通水性、通気性に優れており、植物の生息空間に適している。
また、客土４の内部はシート部材９と有孔構造を呈する壁面部材２２を介して前記間隙５と連続性を有しているため、前記間隙５に通水でき、別途水抜き穴を設けることなく、客土内に水が滞留することなはない。
【実施例２】
【００２８】
次に、本発明の第２実施例について説明する。実施例１と重複する部分については、同一の符号を付してその説明を省略する。
【００２９】
図３は本発明の擁壁ユニット１のフレーム部材２を籠型形状とした場合の断面図である。図３に示すように、フレーム部材２の上面に、仕切りパネルなどによって形成した控え材（図示せず）を設置し、フレーム部材が受ける内外圧によって変形することを防止するものである。
フレーム部材の上面を緑化する場合には、補強フレームなどの枠形状の控え材を用いても良いし、溶接金網などの有孔構造を呈する控え材を用いればよい。
【００３０】
本実施例によれば、壁面部材２２を２箇所対向する位置に設けることができるため、フレーム部材２の前面と背面の両面に対して石塊３の積み上げ作業を行うことができる。
【００３１】
また、図３において図示されない側壁側においても必要に応じて石塊３の積み上げが可能であることは言うまでもない。
【図面の簡単な説明】
【００３２】
【図１】本発明の擁壁ユニットを用いた擁壁構造物の第１実施例の断面図。
【図２】擁壁ユニットと石塊の取付部分の斜視図。
【図３】本発明の擁壁ユニットを用いた擁壁構造物の第２実施例の断面図。
【符号の説明】
【００３３】
１  擁壁ユニット
２  フレーム部材
２１  底部材
２２  壁面部材
２３  爪先部
３  石塊
３１  係止金具
４  客土
５  間隙
６  裏込め材
７  シート部材
【図１】
0004698437.tif 000002
【図２】
0004698437.tif 000003
【図３】
0004698437.tif 000004